(57)【要約】      （修正有）【課題】構造が簡単で配置しやすい電力工事において警告を実現する方法及び装置を提供する。【解決手段】隔離ポール本体、警告ランプ及び第２掛合フックを含む電力工事において警告を実現する方法及び装置であって、隔離ポール本体のベース下方には移動固定部材が設けられ、隔離ポール本体の上部には警告ランプが設けられ、警告ランプの外側には防護カバーが設けられ、防護カバーの先端にはソーラーパネルユニットが設けられ、ソーラーパネルユニットと警告ランプは電気的に接続され、隔離ポール本体の上端外壁には一対の取っ手が対称に設けられ、隔離ポール本体の下端外壁には一組の第１掛合リングが対称に設けられ、隔離ポール本体の左側に収納キャスターホルダが間隔を空けて２つ設けられ、収納キャスターホルダに収納キャスターが回動するよう設けられ、移動固定部材は左側壁に第２掛合フックが設けられこれに対応して右側壁に第２掛合リングが設けられる。【選択図】図１
2018141348.tif 000002
【特許請求の範囲】
【請求項１】
隔離ポール本体（２）のベース下方に移動固定部材（１）を設けて各組の隔離ポール本体（２）を自由に移動させ、各移動固定部材（１）における隣接する右側の第２掛合リング（５）と左側の第２掛合フック（３）を掛接して複数組の隔離ポール本体（２）を一体的に互いに接続することで、複数組の隔離ポール本体（２）を一体的に移動しやすくし、隔離ポール本体（２）の左側に間隔を空けて設けられた収納キャスター内の警告テープ（１２）を引き出して接続することで、工事現場における隔離を実現することを特徴とする電力工事において警告を実現する方法。
【請求項２】
左側の第２掛合フック（３）を開口が下を向くように立設し、右側の第２掛合リング（５）を水平に設けることを特徴とする請求項１記載の電力工事において警告を実現する方法。
【請求項３】
隔離ポール本体（２）の配置前に複数組のテープ（１２）を接続し、道路状況に応じて移動固定部材（１）により隔離ポール本体（２）を一度に移動させて固定することで、作業員による隔離ポール本体（２）の配置を一度で実現することを特徴とする請求項１又は２記載の電力工事において警告を実現する方法。
【請求項４】
移動固定部材（１）の底部下方におけるスライド装置として４つの３６０度キャスター（４）を選択し、３６０度キャスター（４）の下端面にフットブレーキ（４１）を設けることで隔離ポール本体（２）を固定し、隔離ポール本体（２）の上端外壁に一対の取っ手（６）を対称に設けることで隔離ポール本体（２）の持ち上げ作業を可能とすることを特徴とする請求項１記載の電力工事において警告を実現する方法。
【請求項５】
ソーラーパネルユニット（９）と警告ランプ（７）を設けることで警告効果を実現することを特徴とする請求項１記載の電力工事において警告を実現する方法。
【請求項６】
隔離ポール本体（２）、警告ランプ（７）及び第２掛合フック（３）を含む請求項１記載の方法を実現する電力工事における警告装置であって、
前記隔離ポール本体（２）の下方には移動固定部材（１）が設けられ、前記移動固定部材（１）は、左側壁に第２掛合フック（３）が設けられ、右側壁に第２掛合リング（５）が設けられ、隔離ポール本体（２）の上端外壁には一対の取っ手（６）が対称に設けられ、隔離ポール本体（２）の下端外壁には一組の第１掛合リング（１３）が対称に設けられ、
前記隔離ポール本体（２）の左側には収納キャスターホルダ（１６）が間隔を空けて２つ設けられ、収納キャスターホルダ（１６）には収納キャスター（１５）が回動するよう設けられ、収納キャスター（１５）には警告テープ（１２）が巻き回されており、警告テープ（１２）の一端は接続ベルト（１１）を介して第１掛合フック（１０）に接続されていることを特徴とする装置。
【請求項７】
前記左側の第２掛合フック（３）は開口が下を向くよう立設され、右側の第２掛合リング（５）は水平に設けられ、第２掛合リング（５）と第２掛合フック（３）が組み合わせて使用されることを特徴とする請求項６記載の電力工事における警告装置。
【請求項８】
前記移動固定部材（１）の底部下方におけるスライド装置として４つの３６０度キャスター（４）が選択され、３６０度キャスター（４）の下端面にはフットブレーキ（４１）が設けられることを特徴とする請求項６記載の電力工事における警告装置。
【請求項９】
隔離ポール本体（２）の上部には警告ランプ（７）が設けられ、警告ランプ（７）の外側には防護カバー（８）が設けられ、防護カバー（８）の先端にはソーラーパネルユニット（９）が設けられ、ソーラーパネルユニット（９）と警告ランプ（７）が電気的に接続されることを特徴とする請求項６記載の電力工事における警告装置。
【請求項１０】
前記警告ランプ（７）にはスイッチが設けられることを特徴とする請求項６記載の電力工事における警告装置。
【発明の詳細な説明】
【技術分野】
【０００１】
本発明は電力分野に関し、具体的には、電力工事において警告を実現する方法及び装置に関する。
【背景技術】
【０００２】
社会の発展に伴って電力もまた急速に発展し、人々の電力に対する需要と依存は日増しに高まっている。また、絶えず電力が供給される合格基準の電力サービスが要求されており、電力における緊急対応やメンテナンスもますます重要となっている。電力の緊急工事に際しては、感電防止策を把握しているのは電力の安全性を熟知した作業者に限られる。しかし、工事にあたっては多くの部外者が好奇心から無自覚に帯電装置に接近し、安全上のリスクを招来する。そこで、工事の際には安全を守るための警告表示や保護柵を設置して、部外者に遠ざかるよう促す必要がある。ところが、従来の隔離用保護柵は大きく、数が多い場合には運搬に不便であった。
【発明の概要】
【発明が解決しようとする課題】
【０００３】
本発明は、上述の背景技術で提起した課題を解決すべく、構造が簡単で配置しやすい電力工事において警告を実現する方法及び装置を提供することを目的とする。
【課題を解決するための手段】
【０００４】
上記の目的を実現するために、本発明は以下の技術方案を提供する。
【０００５】
電力工事において警告を実現する方法及び装置であって、隔離ポール本体、警告ランプ及び第２掛合フックを含む。前記隔離ポール本体の下方には移動固定部材が設けられ、隔離ポール本体の上部には警告ランプが設けられ、警告ランプの外側には防護カバーが設けられ、防護カバーの先端にはソーラーパネルユニットが設けられ、ソーラーパネルユニットと警告ランプは電気的に接続され、隔離ポール本体の上端外壁には一対の取っ手が対称に設けられ、隔離ポール本体の下端外壁には一組の第１掛合リングが対称に設けられる。また、前記隔離ポール本体の左側には収納キャスターホルダが間隔を空けて２つ設けられ、収納キャスターホルダには収納キャスターが回動するよう設けられ、収納キャスターには警告テープが巻き回されており、警告テープの一端は接続ベルトを介して第１掛合フックに接続される。前記移動固定部材は、左側壁に第２掛合フックが設けられ、右側壁に第２掛合リングが設けられ、前記第１掛合フックは開口が下を向くように立設され、第１掛合リングは水平に設けられる。
【０００６】
更に、前記第２掛合リングと第２掛合フックは組み合わせて使用される。
【０００７】
更に、前記警告ランプにはスイッチが設けられる。
【０００８】
隔離ポール本体のベース下方に移動固定部材を設け、隣接する第２掛合リングと第２掛合フックを掛接して複数組の隔離ポール本体を一体的に互いに接続することで、隔離ポール本体を一体的に移動しやすくする。また、移動固定部材の底部下方におけるスライド装置によって隔離ポール本体の移動を実現するとともに、フットブレーキを設けることで隔離ポール本体の固定を実現する。また、隔離ポール本体の左側に間隔を空けて設けられる収納キャスター内の警告テープによって、工事現場が隔離される。
【発明の効果】
【０００９】
従来技術と比較して、本発明は構造が簡単で使用しやすい。移動固定部材上の丈夫で耐用性のある左側の第２掛合フックと右側の第２掛合リングを掛接することで、複数組の隔離ポール本体が接続されるが、第１掛合フックは開口を下に向けるように立設され、第１掛合リングは水平に設けられている。このような構造のため、隔離ポール本体は、着脱時に隔離ポール本体の第１掛合フックの片側をわずかに持ち上げるだけで、第１掛合フックをすぐに第１掛合リング内に掛接することが可能である。また、移動固定部材の下方にスライド装置を設けることで、複数組の隔離ポール本体の一体移動を容易としている。よって、速やかな着脱や素早い移動といった技術的課題が解決される。
【００１０】
従来技術と比較して、本発明では作業員が複数組の隔離ポール本体上の複数組のテープを事前に接続したうえで隔離ポール本体を移動可能なほか、道路状況に応じて隔離ポール本体を一度で配置することが可能である。そのため、何度もテープを引き出して接続したり、隔離ポール本体を繰り返し移動したりといった労力を削減でき、工事の効率が向上する。
【００１１】
また、ソーラーパネルユニットと警告ランプを設けることで、警告効果を強化可能である。
【図面の簡単な説明】
【００１２】
【図１】図１は、電力工事において警告を実現する方法及び装置の構造を示す図である。
【発明を実施するための形態】
【００１３】
以下に、具体的実施形態を組み合わせて、本件特許の技術方案について更に詳細に説明する。
【００１４】
図１を参照して、電力工事において警告を実現する方法及び装置は、隔離ポール本体２、警告ランプ７及び第２掛合フック３を含む。前記隔離ポール本体２のベース下方には移動固定部材１が設けられており、隔離ポール本体２の上部には警告ランプ７が設けられている。警告ランプ７にはスイッチが設けられており、警告ランプ７の外側には防護カバー８が設けられている。防護カバー８の先端にはソーラーパネルユニット９が設けられており、ソーラーパネルユニット９と警告ランプ７が電気的に接続されている。隔離ポール本体２の上端外壁には一対の取っ手６が対称に設けられており、取っ手６によって隔離ポール本体２を持ち上げることで、警告装置を容易に取り付け及び移転可能となっている。また、隔離ポール本体２の下端外壁には、一組の第１掛合リング１３が対称に設けられている。このほか、前記隔離ポール本体２の左側には収納キャスターホルダ１６が間隔を空けて２つ設けられている。収納キャスターホルダ１６には収納キャスター１５が回動するよう設けられている。収納キャスター１５には警告テープ１２が巻き回されており、警告テープ１２の一端は接続ベルト１１を介して第１掛合フック１０に接続されている。動作時には、二組の隔離ポール本体２を間隔を空けて配置し、右側の隔離ポール本体２上方の第１掛合フック１０を左側の隔離ポール本体２の取っ手６に掛合するとともに、右側の隔離ポール本体２下方の第１掛合フック１０を左側の隔離ポール本体２の第１掛合リング１３に掛合する。これにより、２つの警告テープ１２が隔離保護柵としての役割を果たすことが可能となる。また、警告ランプ７を点灯することでも警告の目的を達成可能である。前記移動固定部材１の左側壁には第２掛合フック３が設けられており、右側壁には第２掛合リング５が設けられている。第２掛合フック３は開口が下を向くよう立設されており、第２掛合リング５は水平に設けられている。第２掛合リング５と第２掛合フック３は組み合わせて使用される。移動固定部材１の底部下方におけるスライド装置としては４つの３６０度キャスター４が選択され、３６０度キャスター４の下端面にはフットブレーキ４１が設けられる。動作中には、３６０度キャスター４は隔離ポール本体２としての役割を果たし、フットブレーキ５を踏むことで３６０度キャスター４の回転を防止可能となる。隔離ポール本体２の移動が必要となった場合には、フットブレーキ４１を解除するだけで隔離ポール本体２を前進させることが可能なため、非常に便利で手間もかからない。複数組の隔離ポール本体２の移動が必要な場合には、隣接する隔離ポール本体２の第２掛合リング５と第２掛合フック３を順に接続すれば、複数組の隔離ポール本体２を一体的に接続させられるため、複数組の隔離ポール本体２の移動が容易となる。
【００１５】
以上では本件特許の好ましい実施形態について詳細に説明したが、本件特許は上記の実施形態に限定されない。当業者が有する知識の範囲内で、本件特許の主旨から逸脱しないことを前提に各種の変形も可能である。
【図１】
2018141348.tif 000003
【外国語明細書】
2018141348000001.pdf